(57)【要約】　　　（修正有）【課題】複数のカード型カセットを整理して収納することができるカード収納ケースの提供。【解決手段】収納部２と蓋部３を備え、収納部２にカード型カセット５を保持する保持構造６を複数設ける。保持構造６には、係合型、挟持型、ポケット型などがある。【効果】複数のカードをコンパクトに整理良く保管することができ、カードの紛失を防ぎ、また、カードが利用しやすくなる。【選択図】　　図１
0003099687.tif 000002
【実用新案登録請求の範囲】
【請求項１】
　記録媒体を有し外部接続端子を備えた回路基板を扁平な外殻体の内部に装填したカード形カセットを収納するケースであって、収納部を開閉できるとともに収納部に複数のカード形カセットを定位置に維持できる保持構造を設けてあることを特徴としたカード収納ケース。
【請求項２】
　保持構造は、収納部の底を構成する部材から切起こして形成され、カード形カセットの端子部開口に嵌入係合してカード形カセットを保持する係合部であることを特徴とした請求項１に記載のカード収納ケース。
【請求項３】
　端子部開口に嵌入係合する係合部は、櫛歯状に間隔をあけて形成されていることを特徴とした請求項２に記載のカード収納ケース。
【請求項４】
　保持構造は収納部の底を構成する部材から切起こして形成され、保持するカード形カセットの上面に当接してこれを収納部の底を構成する部材との間で挟持する挟持片に形成してあること特徴とした請求項１に記載のカード収納ケース。
【請求項５】
　保持構造は，収納部の底を構成部材に形成されたポケットであって、上方又は側方が開口され、開口から差し込んでカード形カセットを収めることができること特徴とした請求項１に記載のカード収納ケース。
【請求項６】
　保持構造はカード形カセットの下部を受け止める受け止め片とカード形カセットの上部を抱持する抱持片とで構成されていることを特徴とした請求項１に記載のカード収納ケース。
【請求項７】
　抱持片は保持するカード形カセットの両側から対向して延び出す押さえ片を有し、押さえ片は収納部の底を構成する部材からカード形カセットの厚み寸法よりも大きな間隔を取って配置され、カード形カセットで押し込むと下方へ弾性的に変位して逃れ、カードカセットの通過後もとの位置に戻ってカード型カセットの上面と係合する構造としてあることを特徴とした請求項６に記載のカード収納ケース。
【請求項８】
　保持構造は、収納するカード形カセットの下部角部の一方を位置決めするとともに支持する位置決め支持片とその対偶位置にカード形カセットの上部一側を挟持する挟持片とからなることを特徴とした請求項１に記載のカード収納ケース。
【請求項９】
　保持構造は、収納部の底を構成する部材から切起こされた傾斜板と傾斜板の中央部を切り起こし傾斜板と間隔を取りほぼ平行な押え部とその基部の受け部とからなる保持板とで形成されていることを特徴とした請求項１に記載のカード収納ケース。
【請求項１０】
　収納部の底を構成する部材がケース本体とは別体の底部材を備え、これに保持構造が形成されていることを特徴とした請求項１〜９の何れか一つに記載のカード収納ケース。
【請求項１１】
　保持構造が透明な素材で形成されていることを特徴とした請求項１〜１０の何れか一つに記載のカード収納ケース。
【請求項１２】
　収納部とこれに蝶番部でつながった蓋部を備えて構成されていることを特徴とした請求項１〜１１の何れか一つに記載のカード収納ケース。
【考案の詳細な説明】
【技術分野】
【０００１】
　本考案は、記録媒体（ＲＡＭ又はＲＯＭ）を有し外部接続端子を備えた回路基板を扁平な外殻体に装填し、開口部に外部接続端子を露出させた、一般にカードと呼ばれる小形なカード型カセットの収納ケースに関する。
【背景技術】
【０００２】
　この種のカード型カセット（以下、単にカード）は携帯タイプのゲーム機器に多用されており、大きさはほぼ４０×６０×８ｍｍ前後の矩形を基本とするが、変形の物もある。カードが記録媒体に格納している内容はゲームプログラムやゲーム経過、あるいはパラメーターなどのデータであるが、例えばゲームプログラムについては多種多様のものがあって、それだけゲームプレーヤーの手元には購入した多種多数のカードが蓄積されてくる。また、自分でゲーム経過などのデータを記録したカード（メモリーカード）も数が増えつづけるので、乱雑に保管していると紛失したり必要なカードを探し出すのに時間がかかる。
【考案の開示】
【考案が解決しようとする課題】
【０００３】
　乱雑に放置されることが多いカードを収納し、便利に利用できるカード収納ケースを提供する。
【課題を解決するための手段】
【０００４】
　ハンディに扱える範囲で複数のカードを収納できる容積と、整然と収納できる構造及び収納と取り出しに便利な構造を備えたカード収納ケースとする。
【考案の効果】
【０００５】
　複数のカードをコンパクトに整理良く保管することができ、カードの紛失を防ぎ、また、カードを利用しやすい。
【考案を実施するための最良の形態】
【０００６】
　ハンディな形態として、大きさが平面視１４５×１８５ｍｍ、高さ（厚さ）１５〜２０ｍｍ程度とし、本を開くように収納部に対して蓋部を開閉できるものが好ましい。これは現在のゲーム用ＤＶＤ収納ケースの規模と構造である。ＤＶＤ収納ケースは、収納部にディスクの孔と係合するチャックとディスクの周縁部を支持する支持部を備えているが、カード収納ケースでは、収容部にカードを保持する保持構造を形成する。
【０００７】
　保持構造は種々を考えられるが、カードを装着しやすく、且つ、装着状態が安定するものが好ましい。基本的な形態としては係合型、挟持型、ポケット型などである。挟持型、ポケット型では保持しているカードの表示が見やすいように、保持する部分を透明に形成することも好ましい。
　カード収納ケースの素材は、ケースを構成する基体部分をポリプロピレンなど硬質で適度な弾性を備えた合成樹脂とするのが耐久性や成形上から好ましい。
　また、収納部の保持構造は通常、収納ケースと同時に成形されるのがコスト上、好ましいが、別途形成したものを収納ケースへ装着する構造であっても良い。
【実施例１】
【０００８】
　図１は、カード収納ケース１を開いた状態で示しており、収納部２と蓋部３を備え、収納部２と蓋部３はこれらを蝶番部４で接続してある。これらはポリプロピレンの一体成形品であり、蝶番部４は両側の収納部２と蓋部３に対して柔軟に連結されている。したがって、カード収納ケース１は本を開くようにして蓋部３を開閉することができる。各寸法は、横１４０ｍｍ、縦１８０ｍｍ、高さ（厚さ）１５ｍｍである。
【０００９】
　収納部２には、カード５を収納するための保持構造６が複数形成されている。
　カード５は図２に示すように、扁平な外殻体７の内部に記憶媒体８と外部接続端子９を有する回路基板１０を装填してある。外部接続端子９はカード５の開口１１に露出している。
【００１０】
　保持構造６（図２，３）は係合部１２として構成され、収納部２の底壁１３と別体の底部材１４に切起しによって形成されている。係合部１２は、底部材１４の面から上方へ向かう鈎状に構成されており、受け片１５と係合片１６とからなる。係合片１６の高さと幅はカード５の開口１１内へ入り込める大きさであり、受け片１５の張り出し量は差し込んだ係合片１６と底部材１４の面とでカード５を挟持できる寸法とする。図３において、符合１７は切起しのための切り込みを示している。
【００１１】
　このカード収納ケース１には、９個のカード５を収納することができる。カード収納ケース１に対するカード５の装着は、その開口１１を下方として係合部１２へ差し込むようにすればよく、取り出しは単に上方へ引き抜くだけである。
　収納されたカード５は受け片１５によって支持されると共に係合片１６によってある程度収納ケースの底壁へ押し付けられるようにして挟持されるので、カード収納ケース１を携帯中に収納ケースの内部でカード５が外れてしまうこともない。これにより、多数のカードを整理して収納し、また、簡単に利用することができる。
　なお、保持構造６は、カード収納ケース１の底壁１３から直接に切り起しても良い。この場合、切り越しにより生じる孔はカード収納ケース１の外面に装填される化粧カバーによって隠される。
【実施例２】
【００１２】
　図４，５は、カード５の形態に対応させた実施例であり、カード５は外部接続端子９を露出させた開口１１に仕切り壁１８を有するタイプである。このため保持構造６における係合部１２の少なくとも係合片１６を櫛歯状とし、かつ、櫛歯状とした２本ずつの係合片１６のグループの間にもスペースを配置している。カード５を係合部１２へ差し込むとき、仕切り壁１８は櫛歯状となった係合片１６の間隙に嵌り込むので、カード５を支障なく係合部１２へ差し込むことができる。
【実施例３】
【００１３】
　図６，７は、保持構造６が挟持型のものに関する。図６の保持構造６は、カード収納ケース１の底を構成する部材（底壁１３あるいは底部材１４）から切起した受け片１９と挟持片２０としてあり、挟持片２０の先端部が保持されたカード５の外面に接する。挟持片２０の先端部はカード収納ケース１の底壁側へ近接するように成形され、カード５が差し込まれるとこれを圧接して挟持する。
　なお、図示していないが、保持構造６はカード収納ケース１の底を構成する部材を裏面側からプレスして上方又は側方が開口された単純なポケット構造としても良い。
【実施例４】
【００１４】
　図７は、カード５を回動させて挟持させるように構成した保持構造６であり、挟持型の一種である。底部材１４にカード５の大きさに相当する矩形の領域を設定し、その対偶位置の下部に位置決め支持片２１と上部に挟持片２２を配置したもので、位置決め支持片２１は保持するカード５の下部角部を位置決めするために上方へ折り曲げた側片２３を備えている。
　カード５を保持させるときは、カード５の下部角部を位置決め支持片２１に支持させてカード５の上部を回動させる。カード５の上部他側は挟持片２２と底部材１４の面との間に押し込まれて挟持される。カード５を収納しやすく、取り出しやすい。
【実施例５】
【００１５】
　図８の保持構造６は、ポケット型の変形であり、カード５の底面を受ける受け止め片２４とその上部に抱持片２５を備えている。抱持片２５は、カード５を上方から差し込める幅と間隔を備えておればよく、左右が帯状につながっていても良い。ただ、図のように左右に分割され短い押え片２６にしておくと、カード５の底部を受け止め片２４に載置した後、上部を正面から押し付けることにより、押え片２６は左右外側へ一端開いてカード５を通過させ、通過と同時に押え片２６はもと位置に復帰してカード５を保持する。押え片２６の変形は、ポリプロピレンなど素材が持つ弾性を利用する。
【実施例６】
【００１６】
　図９は、実施例５におけるカード上部の押し込み操作がなめらかとなるように、前記の押え片２６の部分を円柱部としたものである。この場合は、円柱の円弧面に沿ってカード５が移動するので、押し込みやすく、また、反対方向への引出しも簡単に行える。
【実施例７】
【００１７】
　図１０〜１３は、保持構造６を、底部材１４から切起こされた傾斜板２７と保持板２８とで構成している（図１０，１１）。保持板２８は、傾斜板２７の中央部を切り起こし傾斜板２７と間隔を取ってほぼ平行に形成した押え部２９とその基部の受け部３０とからなる。すなわち、図１２に示すように、底部材１４にカード５の幅よりも少し広いエリアを設定してその三方に切り込みを入れる（実線）と共にそのエリア内の中央部にも２本の切り込みを入れ、裏面側からプレスして形成する。鎖線ａは谷折り、鎖線ｂは山折りである。なお、鎖線ｃは側部３１を形成するためのもので谷折りである。
　すると、図１３のように、保持板２８と傾斜板２７とで収容部３２を備えた保持構造６が形成される。
【００１８】
　カード５はこの収容部３２に差し込んで収納する。この構造では、傾斜板２７により前記収容部３２の差込口が手前側に向くのでカード５を差込み易く、また、取り出しやすい。そして、収納部２に対して蓋部３を閉じると、収納部２の保持構造６は押されて、傾斜板２７が水平近くにまで戻り、薄く収納することができる。逆に蓋部３を開けると、傾斜板２７は素材が持つ弾性によってもとの傾斜状態にもどり、収納しているカード５の上部を手前側に向ける。
【００１９】
　以上、実施例のいくつかを説明したが、カード収納ケース１は収納部２を引き出し式に開く形態であってもよい。また、保持構造６は少なくとも保持状態のときにカード５を隠してしまう部分を透明にして収納しているカードのラベルが支障なく読み取れることが好ましい。
【図面の簡単な説明】
【００２０】
【図１】カード収納ケース及びカードの斜視図（実施例１）。
【図２】係合部の断面による側面図。
【図３】底部材の斜視図。
【図４】カードの他の例を示した斜視図。
【図５】係合部の斜視図（実施例２）。
【図６】係合部の斜視図（実施例３）。
【図７】係合部の斜視図（実施例４）。
【図８】係合部の斜視図（実施例５）。
【図９】係合部の斜視図（実施例６）。
【図１０】カード収納ケース及びカードの斜視図（実施例７）。
【図１１】保持構造６の斜視図
【図１２】切起し前の平面図
【図１３】断面で示す側面図
【符号の説明】
【００２１】
　１　カード収納ケース
　２　収納部
　３　蓋部
　４　蝶番部
　５　カード（カード型カセット）
　６　保持構造
　７　外殻体
　８　記憶媒体
　９　外部接続端子
　１０　回路基板
　１１　開口
　１２　係合部
　１３　底壁
　１４　底部材
　１５　受け片
　１６　係合片
　１７　切り込み
　１８　仕切り壁
　１９　受け片
　２０　挟持片（実施例３）
　２１　位置決め支持片
　２２　挟持片（実施例４）
　２３　側片
　２４　受け止め片
　２５　抱持片
　２６　押え片
　２７　傾斜板
　２８　保持板
　２９　押え部
　３０　受け部
　３１　側部
　３２　収容部
【図１】
0003099687.tif 000003
【図２】
0003099687.tif 000004
【図３】
0003099687.tif 000005
【図４】
0003099687.tif 000006
【図５】
0003099687.tif 000007
【図６】
0003099687.tif 000008
【図７】
0003099687.tif 000009
【図８】
0003099687.tif 000010
【図９】
0003099687.tif 000011
【図１０】
0003099687.tif 000012
【図１１】
0003099687.tif 000013
【図１２】
0003099687.tif 000014
【図１３】
0003099687.tif 000015